(57)【要約】【課題】本発明は、円柱形状の被覆対象物でも間接活線作業用工具により簡易に巻回することができ、腕金や金具から垂下させるときに面ファスナ等で腕金や金具に接着する場合よりも確実にずれ防止を図れる絶縁用防具を提供することを目的とする。【解決手段】絶縁用防具１は、シート状部材２と引き掛け部材３を備える。シート状部材２は、可撓性を有する絶縁素材からなる面状体であり、引き掛け部材２を装着するための吊縁部５を上方の縁部の近傍部位と下方の縁部の近傍部位とに有する。吊縁部５は、複数並列的に配置された筒状部５１で成る。引き掛け部材３は、筒状部５１に挿入される挿入部３１と、挿入部３１に連接されると共に挿入部３１とで筒状部５１を挟んで保持する保持部３２と、保持部３２の挿入部３１とは反対側に連接されたフック部３３とで構成されている。【選択図】図４
2017041957.tif 000002
【特許請求の範囲】
【請求項１】
シート状部材と、引き掛け部材とを備え、
前記シート状部材は、可撓性を有する絶縁素材で成る面状体であり、少なくとも一の縁の近傍部位に、前記引き掛け部材を装着するための筒状部を並列して配置さすることで吊縁部が形成され、
前記引き掛け部材は、前記筒状部に挿入される挿入部と、前記挿入部に連接されると共に前記挿入部とで前記筒状部を挟んで保持する保持部と、前記保持部の前記挿入部とは反対側に連接されたフック部とで構成され、
前記フック部により、前記シート状部材で被覆する被覆対象物又は前記被覆対象物の周囲の機器に引き掛けられることを特徴とする絶縁用防具。
【請求項２】
前記シート状部材の吊縁部が形成された側と反対側の縁の近傍部位にも、前記引き掛け部材を装着するための筒状部を並列して配置することで吊縁部が形成されていることを特徴とする請求項１に記載の絶縁用防具。
【発明の詳細な説明】
【技術分野】
【０００１】
本発明は、間接活線作業中における地絡・短絡や感電を防止するために電柱や柱上変圧器等の円柱体等の多様な対象物を覆うための絶縁素材から成る絶縁用防具に関する。
【背景技術】
【０００２】
間接活線作業中における地絡・短絡や感電を防止するための絶縁用防具は、例えば特許文献１や特許文献２に示されるものがあるが、特許文献１や特許文献２に示される絶縁用防具では、被覆対象物の形状や大きさが多様であるので、全ての被覆対象物に対応可能な形状・構成のものとはなっていない。
【０００３】
これに伴い、被覆対象物が電柱の立設柱状体や柱上変圧器等のような円柱形状の場合には、例えば特許文献１に示されるような一枚のシート状の絶縁用防具（例えば、面積が９００ｍｍ×９００ｍｍの大きさのもの）で、円柱形状の被覆対象物の側方周面を覆うのが一般的である。
【０００４】
一方で、シート状の絶縁用防具の端同士や腕金や金具への接着は、特許文献１や特許文献２に示されるように、雄型面ファスナと雌型面ファスナとの接着や、プラス極の磁石とマイナス極の磁石との接着で行われていた。
【先行技術文献】
【特許文献】
【０００５】
【特許文献１】特開平１０−２８５７３２号公報
【特許文献２】特開２００７−６０７９３号公報
【発明の概要】
【発明が解決しようとする課題】
【０００６】
しかしながら、特許文献１に示されるような一枚のシート状の絶縁用防具では、絶縁ヤットコ等の間接活線作業用工具により、電柱の柱状立設体や柱上変圧器等の円柱状部材に巻き付けるのは容易ではないので、作業が煩雑になるおそれがある。
【０００７】
また、一枚のシート状の絶縁用防具を電柱の柱上に架設された腕金等に垂下状に取り付ける場合には、面ファスナやゴム磁石等の磁石により腕金等に接着しているのみでは、外部からの力等で、絶縁用防具が所望の位置からずれるおそれもある。
【０００８】
そこで、本発明は、間接活線作業用工具を用いても、円柱形状の被覆対象物に取り付けやすく、且つ、面ファスナや磁石による接着を利用せずに取り付けることが可能な絶縁用防具を提供する。
【課題を解決するための手段】
【０００９】
本発明の絶縁用防具は、シート状部材と、引き掛け部材とを備え、前記シート状部材は、可撓性を有する絶縁素材で成る面状体であり、少なくとも一の側縁部位に、前記引き掛け部材を装着するための筒状部が並列して配置され、前記引き掛け部材は、前記筒状部に挿入される挿入部と、前記挿入部に連接されると共に前記挿入部とで前記筒状部を挟んで保持する保持部と、前記挿入部の前記保持部とは反対側に連接されたフック部とで構成され、前記フック部により、前記シート状部材で被覆する被覆対象物又は前記被覆対象物の周囲の機器に引き掛けられることを特徴としている（請求項１）。被覆対象物とは、柱上変圧器や電線、その他の充電部等である。被覆対象物の周囲の機器とは、例えば腕金や電柱の柱上の金具等である。
【００１０】
これにより、被覆対象物となる円柱形状を有する機器が柱上変圧器の場合には、柱上変圧器の頭部に円状に配置された複数の環状部にフック部をそれぞれ引き掛けることで、柱上変圧器の全囲をシート状部材で被覆することができる。
【００１１】
一方で、電柱に架設された腕金や金具にシート状部材を垂下状に取り付けて、所要の被覆対象物を被覆する場合には、腕金や金具に形成された孔部や突起部にフック部をそれぞれ引き掛けることで、シート状部材を腕金や金具等にずれなく取り付けることができる。
【００１２】
本発明の絶縁用防具では、前記シート状部材の前記筒状部が配置された側縁部位とは反対側の側縁部位にも、前記引き掛け部材が装着される筒状部が並列して配置されていることを特徴としている（請求項２）。
【００１３】
これにより、シート状部材のいずれかの吊縁部の筒状部に引き掛け部材を装着すれば良いので、シート状部材の上下の確認が不要となり、作業の効率化が図られる。
【発明の効果】
【００１４】
以上に述べたように、本発明に係る絶縁用防具によれば、被覆対象物が円柱形状を有する機器であり、環状部や突起部等の被引き掛け手段を頭部に複数有する場合には、被覆対象物の被引き掛け手段に引き掛け部材のフック部をそれぞれ引き掛けることで、被覆対象物が円柱形状であっても、その全囲をシート状部材で覆うことができる。そして、絶縁ヤットコ等の間接活線作業用把持工具で、引き掛け部材を把持して被引き掛け手段に引き掛け部材のフック部を引き掛ける作業ができるので、間接活線作業の一環として、円柱形状の被覆対象物の周囲への絶縁用防具の覆い作業を簡易に行うことが可能である。
【００１５】
また、本発明に係る絶縁用防具によれば、電柱に架設された腕金や金具等にシート状部材を垂下状に取り付ける場合には、腕金や金具、電柱の腕金等の近傍の機器、又は電柱自身に形成された孔部や突起部に引き掛け部材のフック部をそれぞれ引き掛けることで、シート状部材をずれなく取り付けることができる。
【００１６】
特に請求項２に記載の発明に係る絶縁用防具によれば、シート状部材のいずれかの吊縁部の筒状部に引き掛け部材を装着すれば良いため、シート状部材の上下の確認を不要とすることができるので、作業の効率化を図ることが可能である。
【図面の簡単な説明】
【００１７】
【図１】図１は、シート状部材の構成を示した説明図であり、図１（ａ）は、シート状部材の平面図、図１（ｂ）は、シート状部材の正面図、図１（ｃ）は、シート状部材の側面図である。
【図２】図２は、シート状部材の引き掛け部材が取り付けられる筒状部を示した拡大図であり、図２（ａ）は、筒状部の平面図、図２（ｂ）は、筒状部の正面図、図２（ｃ）は、筒状部の側面図である。
【図３】図３は、筒状部に取り付けられる引き掛け部材を示した説明図であり、図３（ａ）は、引き掛け部材の側面図、図３（ｂ）は、引き掛け部材の正面図である。
【図４】図４は、筒状部に引き掛け部材が取り付けられた状態を示した説明図であり、図４（ａ）は、筒状部に引き掛け部材が取り付けられて成る絶縁用防具を示す正面図、図４（ｂ）は、筒状部に引き掛け部材が取り付けられた状態を示した拡大図である。
【図５】図５は、変圧器に絶縁用防具を巻いて装着するという絶縁用防具の使用方例を示す説明図である。
【図６】図６は、電柱の腕金に絶縁用防具を垂下状に装着するという絶縁用防具の使用例を示す説明図である。
【発明を実施するための形態】
【００１８】
以下、本発明の絶縁用防具の構成の一例について、図１から図４を参照しながら説明する。
【００１９】
図１から図４において、絶縁用防具１の全体形状の一例が示されている。この絶縁用防具１は、１つのシート状部材２と、シート状部材２に取り付けられた複数（この実施例では３つ又は４つ）の引き掛け部材３とを備えたものである。
【００２０】
シート状部材２は、この実施例では、長方形状の面状体であり、可撓性を有する絶縁素材で形成されている。但し、シート状部材２の形状は、長方形状の代わりに、台形状、平行四辺形状、正方形状等であっても良い。
【００２１】
そして、シート状部材２は、４つの縁部のうちの一の縁部Ａの近傍部位と、この縁部Ａとは反対側に位置する縁部Ｂの近傍部位とに、引き掛け部材３の取り付け機構として、吊縁部５を有している。
【００２２】
吊縁部５は、図１、図３、図４に示されるように、縁部に沿って並んだ複数の筒状部５１（この実施例では、９つの筒状部２１）を有して成るものであり、筒状部５１は、図２（特に図２（ａ））に示されるように、この実施例では、Ｕ字状の筒状部構成部材５１ａの両端がシート状部材２に接着することで構成されている。そして、隣接する筒状部５１は、図２（特に図２（ａ））に示されるように、筒状部構成部材５１ａの側面と弧状若しくは弓状の中継部材５２の側面とが接着することで、中継部材５２を介在させつつ連接したものとなっている。
【００２３】
吊縁部５の内幅は、シート状部材２の厚み幅に沿った寸法とシート状部材２の筒状部５１の並ぶ方向に沿った寸法とのいずれにおいても、下記する引き掛け部材３の挿入部３１の外径寸法よりも大きくなっている。
【００２４】
尚、筒状部５１について、Ｕ字状の筒状部構成部材５１ａをシート状部材２に接着して成ると説明したが、必ずしもこの構成に限定されず、図示しないが、Ｏ状の筒状部構成部材をシート状部材２に接着して成るものとしたり、筒状部５１をシート状部材２と一体形成したりしても良い。
【００２５】
引き掛け部材３は、この実施例では、図３及び図４（ｂ）に示されるように、挿入部３１と、保持部３２と、フック部３３とが一体形成されているものである。
【００２６】
挿入部３１は、基本的な形状が直線に延びる円棒状であり、その外径寸法は筒状部５１の内側寸法よりも小さくなっている。そして、挿入部３１の長手方向の一方端には、球状部３１ａが形成されている。この球状部３１ａの外径寸法は、筒状部５１の内側寸法よりも大きくなっており、挿入部３１を筒状部５１に挿通させても、球状部３１ａが筒状部５１の開口縁に当たることにより、挿入部３１が筒状部５１から下方に落下しないようになっている。
【００２７】
保持部３２は、この実施例では、円棒状のもので、挿入部３１と平行に延びる直線状部位３２ａと、この直線状部位３２ａと挿入部３１の球状部３１ａとは反対側端とを連接するＵ字状部位３２ｂを有した形状となっている。尚、Ｕ字状部位３２ｂは、直線状部位３２ａのＵ字状部位３２ｂとの反対側部位が挿入部３１に近接する方向に変位するように付勢力を有している。これにより、挿入部３１を筒状部５１に挿入したときには、挿入部３１と保持部３２の直線状部位３２ａとで筒状部５１の側部を挟むことが可能となるので、引き掛け部材３は筒状部５１にガタツキなく保持される。
【００２８】
フック部３３は、この実施例では、円棒状のもので、保持部３２の直線状部位３２ａのうちＵ字状部位３２ｂとは反対側端に連接されており、直線状部位３３ａとこの直線状部位３３ａから弧状に曲がりつつ延出した湾曲部３３ｂとで構成されている。フック部３３の直径は、例えば下記するように柱上変圧器１００の頭部に設けられた環状部１０１の通孔１０２に挿通可能な寸法となっている。
【００２９】
このような構成のシート状部材２と引き掛け部材３とで成る絶縁用防具１の使用例について、図５及び図６を用いて説明する。
【００３０】
図５では、被覆対象物が円柱形状を有する場合の一例として、電柱の柱上に設置された柱上変圧器１００に絶縁用防具１を取り付ける態様が示されている。
【００３１】
柱上変圧器１００は、この実施例では、図５に示されるように、円柱形状をなすと共に、その頭部には４つの環状部１０１（１０１ａ、１０１ｂ、１０１ｃ、１０１ｄ）が設けられた構成となっている。環状部１０１（１０１ａ、１０１ｂ、１０１ｃ、１０１ｄ）の通孔１０２の形状は、円棒状のフック部３３の外径寸法よりも大きな内径寸法の円孔となっている。
【００３２】
このような構成の柱上変圧器１００への絶縁用防具１の取り付け工程の一例について説明する。
【００３３】
まず、シート状部材２の筒状部５１に引き掛け部材３の挿入部３１を挿通させることにより、シート状部材２の一方の吊縁部５の両端とその中間部位とに引き掛け部材３が取り付けられた状態とする。尚、説明の便宜上、図５では、吊縁部５の一方端に位置する引き掛け部材３を引き掛け部材３ａ、吊縁部５の他方端に位置する引き掛け部材３を引き掛け部材３ｂ、吊縁部５の中間に位置する引き掛け部材３のうち引き掛け部材３ａ側の引き掛け部材３を引き掛け部材３ｃ、吊縁部５の中間に位置する引き掛け部材３のうち引き掛け部材３ｂの引き掛け部材３を引き掛け部材３ｄとする。以下、図６でも同様とする。
【００３４】
次に、柱上変圧器１００の環状部１０１ａの通孔１０２に引き掛け部材３ａのフック部３３を挿通させ、環状部１０１ｄを飛ばして環状部１０１ｃの通孔１０２に引き掛け部材３ｂのフック部３３を挿通させ、環状部１０１ｂの通孔１０２に引き掛け部材３ｃのフック部３３を挿通させ、最後に、シート状部材２の一部が重なるかたちで、環状部１０１ｄの通孔１０２に引き掛け部材３ｄのフック部３３を挿通させる。
【００３５】
これにより、図５に示されるように、柱上変圧器１００の側面について、全周にわたってシート状部材２で覆われた状態とすることができる。
【００３６】
そして、引き掛け部材３を持って柱上変圧器１００の環状部１０１に挿通させる作業は、絶縁ヤットコ等の間接活線作業用工具で引き掛け部材３を把持することで行うことができるので、柱上変圧器１００への絶縁用防具１のシート状部材２の巻付け作業は、間接活線作業として行うことが可能である。
【００３７】
また、シート状部材２の下方が風等ではためいたり、まくれ上がったりするのを防止する必要がある場合には、図５に示されるように、挟持クリップ２００でシート状部材２の下方部位を柱上変圧器１００に固定する等すれば良い。
【００３８】
尚、図６で示される電柱３００も円柱形状であるところ、電柱３００にシート状部材２を巻き付けて、絶縁用防具１で電柱３００のある部位の周面を全て覆う場合には、図示しないが、環状部１０１の代わりに、電柱３００から側方に突出した足掛け部等に引き掛け部材３のフック部３３を適宜引き掛けることにより行うことが可能である。
【００３９】
図６では、電柱３００から垂下状に絶縁用防具１を取り付ける場合の異例として、電柱３００に横倒しの状態で架設された腕金４００に絶縁用防具１を取り付ける態様が示されている。
【００４０】
腕金４００は、この実施例では、図６に示されるように、長尺の四角柱状であり、碍子４０１、４０２や碍子４０３、４０４、４０５が設けられているものであるところ、側方に複数の長孔４００ａ、４００ｂ、４００ｃ、４０５ｄ等が形成されている。
【００４１】
このような構成の腕金４００への絶縁用防具１の取り付け工程の一例について説明する。
【００４２】
まず、シート状部材２の筒状部５１に引き掛け部材３の挿入部３１を挿通させることにより、シート状部材２の一方の吊縁部５の両端とその中間部位とに引き掛け部材３ａ、３ｂ、３ｃ、３ｄが取り付けられた状態とする。このとき、引き掛け部材３ａ、３ｂ、３ｃ、３ｄ間における間隔は、長孔４００ａ、４００ｂ、４００ｃ、４０５ｄ間における間隔と一致するようにする。尚、引き掛け部材３ａ、３ｂ、３ｃ、３ｄ間における間隔の調整は、吊縁部５に９つの筒状部５１が配置されているので容易に行うことができる。
【００４３】
次に、腕金４００の長孔４００ａに引き掛け部材３ａのフック部３３を差し込み、腕金４００の長孔４００ｂに引き掛け部材３ｃのフック部３３を差し込み、腕金４００の長孔４００ｃに引き掛け部材３ｄのフック部３３を差し込むと共に、腕金４００の長孔４００ｄに引き掛け部材３ｂのフック部３３を差し込む。
【００４４】
これにより、図６に示されるように、シート状部材２は、腕金４００から垂下された状態となり、腕金４００から下方に位置する被覆対象物の側面をシート状部材２で被覆された状態とすることができる。
【００４５】
そして、引き掛け部材３を持って腕金４００の長孔４００ａ乃至４００ｄに挿通させる作業は、絶縁ヤットコ等の間接活線作業用工具で引き掛け部材３を把持することで行うことができるので、腕金４００への絶縁用防具１のシート状部材２の取り付け作業も、間接活線作業として行うことが可能である。
【００４６】
しかも、腕金４００への絶縁用防具１のシート状部材２の取り付けにあたり、面ファスナや磁石による接着を行わず、腕金４００の長孔４００ａ乃至４００ｄに引き掛け部材３のフック部３３を挿入して引き掛けるので、シート状部材２が所望の位置から腕金４００の長手方向にずれることも防止される。
【００４７】
尚、図示しないが電柱３００の柱上に設置された金具が横倒しの状態であり、孔や突起部を有する場合には、腕金４００に対する場合と同様の工程により、シート状部材２が垂下するかたちで、絶縁用防具１を金具に取り付けることが可能である。
【符号の説明】
【００４８】
１  絶縁用防具
２  シート状部材
３  引き掛け部材
３１  挿入部
３２  保持部
３３  フック部
５  吊縁部
５１  筒状部
１００  柱上変圧器
３００  電柱
４００  腕金
【図１】
2017041957.tif 000003
【図２】
2017041957.tif 000004
【図３】
2017041957.tif 000005
【図４】
2017041957.tif 000006
【図５】
2017041957.tif 000007
【図６】
2017041957.tif 000008